(57)【要約】【課題】  拡声器ドライブユニットを備えると共に、例えば天井である平面的な支持部材に対して便利で簡単な装着を可能にする拡声器アセンブリを提供する。【解決手段】  アセンブリは、音響信号源への接続のための端子５２を有する拡声器ドライブユニット１０を備えている。この拡声器ドライブユニット１０は、装着リング５２を備えたフレーム５０を備え、該装着リングは、それぞれ装着リング１２に設けられた座部３６との当接のためおよび保持用半円形ワッシャ１８による当接のための第１および第２対向面を有している。装着リング１２は、例えば天井に設けられた開口部中に保持クリップ３２により保持される。拡声器ドライブユニット１０の設計は、それがシールドハロゲン電球を有する通常の照明装置においてかかる電球の代わりに使用されることを可能にする。従って、特に、スペースその他の場所が限られているキッチンまたはバスルームのような部屋にある天井に、拡声器を装着する簡単で便利な方法が提供されている。この発明はまた、照明設備およびスピーカー装置間の交換を容易にする。【選択図】  図１
2005012816.tif 000002
【特許請求の範囲】
【請求項１】
平面的な支持部材に設けられた開口部に受け入れられる装着部材と、該装着部材に受け入れられる拡声器ドライブユニットとを備え、
前記装着部材は、平面的な部材に設けられた前記開口部に前記装着部材を保持するための手段と、前記拡声器ドライブユニットを受けるための開口とを備えており、
前記装着部材は、第１の側から前記開口を通って第１方向に挿入されるときの前記拡声器ドライブユニットのための座部を備えており、該座部により前記拡声器ドライブユニットが前記第１方向に前記装着部材に対して移動するのを防止しており、
前記拡声器ドライブユニットを前記装着部材の座部に保持すると共に、前記第１方向と反対の第２方向に前記拡声器ドライブユニットが移動するのを防止する保持手段を備えている、平面的な支持部材に設けられた開口部に装着する拡声器アセンブリ。
【請求項２】
前記保持手段は、そこから前記拡声器ドライブユニットを取り出すため、前記装着部材の前記第１の側から作業可能になっている、請求項１に記載の拡声器アセンブリ。
【請求項３】
前記装着部材が環状に形成され、前記開口が円形に形成されている、請求項１または請求項２に記載の拡声器アセンブリ。
【請求項４】
前記座部は、前記装着部材の内側面に設けられた円形または一部円形のフランジから構成されている、請求項１から請求項３のいずれか１項に記載の拡声器アセンブリ。
【請求項５】
前記保持手段は、前記装着部材から取り外し可能な保持部材で構成されている、請求項１から請求項４のいずれか１項に記載の拡声器アセンブリ。
【請求項６】
前記保持部材は、前記拡声器ドライブユニットが前記第２方向に移動するのを防止すべく前記拡声器ドライブユニットに接触すると共に、前記装着部材の内側面に係合すべく半径方向に拡張する一部環状の弾性部材で形成されている、請求項５に記載の拡声器アセンブリ。
【請求項７】
前記拡声器ドライブユニットは前側および後側の円形当接面を備え、この前側および後側の円形当接面は、前記装着部材に設けられた前記座部との係合のためおよび前記保持手段による係合のためにそれぞれ用いられている、請求項１から請求項６のいずれか１項に記載の拡声器アセンブリ。
【請求項８】
前記保持手段が接着剤で構成されている、請求項１から請求項４のいずれか１項に記載の拡声器アセンブリ。
【請求項９】
前記開口部に前記装着部材を保持するための前記手段は、前記装着部材の両側にある第１ばねクリップおよび第２ばねクリップで構成されている、請求項１から請求項８のいずれか１項に記載の拡声器アセンブリ。
【請求項１０】
前記拡声器ドライブユニットを覆うために、前記装着部材の前記開口の一面にわたって延在するグリル部材を備えている、請求項１から請求項９のいずれか１項に記載の拡声器アセンブリ。
【請求項１１】
請求項１から請求項１０のいずれか１項によるアセンブリにおいて使用するための拡声器ドライブユニットであって、該拡声器ドライブユニットは、磁石アセンブリおよびスピーカーコーンをそれぞれ支持するフレームを備え、該フレームは第１対向面および第２対向面を有する外側に延びる円形装着フランジをそれぞれ備え、前記円形装着フランジは、請求項１に記載の装着部材の座部および前記装着部材の保持手段に当接している、拡声器ドライブユニット。
【請求項１２】
前記装着フランジが前記ユニットの最外側部を形成している、請求項１１に記載の拡声器ドライブユニット。
【請求項１３】
前記装着フランジが５０ｍｍの外径に形成されている、請求項１１または１２に記載の拡声器ドライブユニット。
【請求項１４】
シールドハロゲン型の照明設備を拡声器装置に交換する方法であって、前記照明設備からシールドランプを取外し、該ランプを電源から分離し、音響信号を供給する導体を前記照明設備のところに取り付け、該導体に請求項１１〜１３のいずれか１項に記載の拡声器ドライブユニットを接続することにより、前記照明設備中に前記拡声器ドライブユニットを装着する方法。
【発明の詳細な説明】
【技術分野】
【０００１】
本発明は、拡声器に関し、特に、該拡声器を例えば天井である平面的な支持部材にある開口部に装着するための装置に関するものである。
【発明の開示】
【発明が解決しようとする課題】
【０００２】
建造物の種々の個所に拡声器を設置したいという要望が増えている。例えば、家庭用建造物において、音響再生装置の一部を形成する拡声器が音響再生装置を聞くためのますます増える数の部屋に設置されることが望まれている。これらの部屋の多くにおいて、特にキッチンおよびバスルームにおいて、自立または壁付け式のスピーカー外枠を取り付けることは、便利なことではない。
【０００３】
従って、本発明の目的は、拡声器ドライブユニットを備えると共に、例えば天井である平面的な支持部材に対して便利で簡単な装着を可能にする拡声器アセンブリを提供することである。
【課題を解決するための手段】
【０００４】
本発明によると、平面的な支持部材に設けられた開口部に装着するための拡声器アセンブリであって、この拡声器アセンブリは、平面的な支持部材の前記開口部に受け入れられる装着部材と、該装着部材に受け入れられる拡声器ドライブユニットとを備え、
前記装着部材は、前記開口部に前記装着部材を保持するための手段と、前記拡声器ドライブユニットを受けるための開口とを備えており、
前記装着部材は、該装着部材の第１の側から該装着部材にある前記開口を通り第１方向に挿入されるときの前記拡声器ドライブユニットのための座部を提供しており、該座部により前記拡声器ドライブユニットが前記第１方向に前記装着部材に関して更に移動するのを防止しており、
前記拡声器アセンブリは、前記装着部材の座部に前記拡声器ドライブユニットを保持すると共に、反対の第２方向への前記拡声器ドライブユニットの移動を防止する保持手段を備えている、拡声器アセンブリが提供されている。
【０００５】
前記保持手段は、そこから前記拡声器ドライブユニットを取り出すため、前記装着部材の前記第１の側から作業ができることが有利である。
【０００６】
前記装着部材は環状であり、そこにある前記開口は円形であることが好ましい。
【０００７】
このような場合またはその他の場合、前記座部は、前記装着部材の内側面にある円形または一部円形のフランジから構成されていることが好ましい。
【０００８】
前記保持手段は、前記装着部材から、好ましくは前記装着部材の第１の側から取り外し可能な部材であることが有利である。
【０００９】
このような場合、前記保持部材は、前記拡声器ドライブユニットが前記第２方向に移動するのを防止すべく前記拡声器ドライブユニットに接触すると共に、前記装着部材の内側面に係合すべく半径方向に拡張する半円形ワッシャのような一部環状の弾性部材であるのが好都合である。
【００１０】
前記拡声器ドライブユニットは前側および後側の円形当接面を備え、前記装着部材にある前記座部との係合のためおよび前記保持手段による係合のためにそれぞれ使用されることが好ましい。
【００１１】
他の実施形態において、前記保持手段は接着剤から構成されている。
【００１２】
本発明による拡声器アセンブリにおいて、前記開口部に前記装着部材を保持するための前記手段は、前記装着部材の両側にある第１ばねクリップおよび第２ばねクリップで構成されていることが好都合である。
【００１３】
拡声器アセンブリは、前記拡声器ドライブユニットを覆うため前記装着部材にある前記開口の一面にわたって延在するグリル部材を備えていることが有利である。
【００１４】
従って、装着部材は、直径５０ｍｍのシールドハロゲン電球を通常用いる既知形式の照明設備の一部を形成するのに使用することができる。
【００１５】
本発明は、また、本発明による拡声器アセンブリにおいて使用するための拡声器ドライブユニットであって、該拡声器ドライブユニットは、磁石アセンブリおよびスピーカーコーンをそれぞれ支持するフレーム（シャーシ、chassis）を備え、該フレームは、それぞれ本発明による拡声器アセンブリの装着部材の座部との当接のためおよび前記装着部材の保持手段による当接のための第１対向面および第２対向面を有する外側に延びる円形装着フランジを備えている、拡声器ドライブユニットを提供している。
【００１６】
前記装着フランジは、前記ユニットの最外側部を形成していることが好ましい。
【００１７】
有利なのは、前記装着フランジが、実質的に５０ｍｍの外径を有しており、従って、上述したような照明設備の電球の代わりに該照明設備に受け入れられることができることである。
【００１８】
それ故に、本発明は、また、シールドハロゲン型の照明設備を拡声器装置に交換する方法であって、前記照明設備からシールドランプを取外しし、該ランプを電源から分離し、音響信号を供給する導体を前記照明設備のところに用意し、該導体に本発明による拡声器ドライブユニットを接続し、および前記照明設備中への前記拡声器ドライブユニットを装着することを含む方法を提供している。
【発明を実施するための最良の形態】
【００１９】
本発明の実施形態は、この明細書の図面を参照し一例として以下に記載される。
【００２０】
図示の拡声器アセンブリは、拡声器ドライブユニット１０と、装着リング１２、第１の環状封止ガスケット１４および第２の環状封止ガスケット１６並びに保持用半円形ワッシャ１８で構成された装着アセンブリとを備えている。
【００２１】
この装着リング１２は、円形であると共に、拡声器ドライブユニット１０を受ける直径約５０ｍｍの中央の円形開口２０を備えている。装着リング１２は、環状の前側面２２と、外側環状フランジ２４と、内側円筒面２６とを備えており、これらは一緒になって、装着リング１２の背面に環状の凹部２８を形成している。この凹部２８は、第１の封止ガスケット１４を受けるのに必要な大きさになっている。
【００２２】
装着リング１２には、後方に延びる一対の突起部３０が形成されており、それらの各々は、ばね保持クリップ３２を支持している。各保持クリップ３２はある長さのワイヤから形成されており、このワイヤは長いアーム部３４および短いアーム部３６を形成しており、この長いアーム部３４および短いアーム部３６の間に捩りばね３８を備えている。該アーム部３４，３６は、図示の位置から互いの方に向かうアーム部３４，３６の相対運動に抗するようになっている。保持クリップ３２は、突起部３０にある開口４２に延びて入るタブ（図では見えない）の中に枢着されており、従って、突起部３０に対して限られた弧を描くように揺動することができる。
【００２３】
装着リング１２には、約１６０°だけ円弧状に延びる２つの肩部４４が内側にそれぞれ形成されている。この２つの肩部４４は、拡声器ドライブユニット１０の座部を形成している。第２の環状封止ガスケット１６の大きさは、拡声器ドライブユニット１０および装着リング１２が組み立てられたときに肩部４４上に位置するように形成されている。
【００２４】
拡声器ドライブユニット１０は、コイル（図では見えない）により通常の方法で支持された従来型の拡声器コーン４６を備えており、このコイルは、磁石アセンブリ４８内のギャップの内側を動くことができるようになっている。拡声器コーン４６は、その周辺で、フレーム５０に取り付けられており、このフレーム５０は、軸方向部分５６に間隔を置いて配置された前側および後側の円形リング５２，５４で構成されている。このフレーム５０は、ダイカスト製造された金属製であるが、その代案として、プレス加工された鋼板或いはプラスチック材料とすることができる。前側の円形リング５２の直径は、フレームがほぼ切頭円錐形の全体形状を有するように、後側の円形リング５４の直径よりも大きくなっている。前側の円形リング５２の外径は、この実施形態において約５０ｍｍに形成されている。後側の円形リング５４は、磁石アセンブリ４８を支持している。電気端子５８は、音響信号を供給するため拡声器ドライブユニット１０に対してなされる電気接続に備えている。
【００２５】
拡声器ドライブユニット１０は、装着リング１２の前側から後側方向（図１において右から左）に円形開口２０を通して挿入され、装着リング１２の中に装着されている。この挿入は、ドライブユニットフレーム５０の前側の円形リング５２が肩部４４上に位置する第２の封止ガスケット１６に着座するようになるまで続けられる。肩部４４は、装着リング１２に対して拡声器ドライブユニット１０が更に後側へ移動するのを防止している。次に、拡声器ドライブユニット１０は、装着リング１２の中に固定される。この固定には、保持用半円形ワッシャ１８が用いられており、この保持用半円形ワッシャ１８は、先ず（例えば一対の半円形ワッシャ式プライアの使用により）圧縮され、次いで円形開口２０に挿入され、拡声器ドライブユニット１０のフレーム５０の前側の円形リング５２の前方縁のちょうど前となる所定位置に配置されている。解放時に、保持用半円形ワッシャ１８は、直径が拡大して円形開口２０の内側円筒面２６を押圧し、これによって、拡声器ドライブユニット１０を装着リング１２中に保持している。これは図２および図３に示す通りである。
【００２６】
次に、平面的な支持部材、例えば天井に設けられた開口部への拡声器の装着について説明する。この装着は、拡声器ドライブユニット１０を上述したように装着リング１２と組み立てた後、あるいはその代わりに、装着リング１２を平面的な支持部材に設けられた開口部中に先ず固定し、次いで上述したように拡声器ドライブユニット１０を装着リング１２中に装着した後、行うことができるようになっている。
【００２７】
前者の状況を仮定すると、第１の環状封止ガスケット１４は、装着リング１２の背面にある凹部２８中に位置決めされている。このガスケット１４および装着リング１２のアセンブリは、天井にある開口部に一致するように企図されている。天井の開口部は、円形であり、直径約６０ｍｍに形成されている。これを可能とするために、保持クリップ３２の長いアーム部３４は、その自由端の間隔が天井の開口部を通り抜けることができる距離になるまで互いの方に向かい手動で強制される。長いアーム部３４が一旦天井の開口部を通り抜けたら、長いアーム部３４に対する手の握りが離される。そのとき保持クリップ３２は、長いアーム部３４が天井の表面よりも上方に位置し、短いアーム部３６が天井の表面よりも下方に位置するようになる。天井の開口部に入る装着アセンブリの更なる移動は、保持クリップ３２がそれらの装着タブで先ず枢回する結果となり、そして長いアーム部３４が天井の上面と接触したときに、短いアーム部３６が、開口部の内面に係合すると共に、それらが開口部の内面と突起部３０との間に位置を占めるまで、ばね部３８の偏倚に抗して内方へ押されるようになる。この位置において、長いアーム部３４は、ばね部３８の偏倚により天井の上面に押し付けられる。こうして、装着アセンブリは、大きい方の環状封止ガスケット１４を装着リング１２の後面と天井の下面との間で圧縮して、天井の開口部中に保持されるようになる。
【００２８】
上述したように装着アセンブリを天井に固定して、拡声器ドライブユニット１０を装着リング１２に挿入すると共に、保持用半円形ワッシャ１８を使用してその装着リング１２中に固定することができる。代案として、拡声器ドライブユニット１０は、上述したように最初に装着リング１２の中に装着することができ、そして次に装着リング１２を天井の開口部の中に装着することができる。
【００２９】
上述したような方法で装着アセンブリ１０の中に装着された後、拡声器ドライブユニット１０は、保持用半円形ワッシャ１８をそれが装着リング１２から解放されるまで収縮させることにより、装着リング１２から解放することができ、そして装着リング１２から前側の方向に離脱させることができる。
【００３０】
装着アセンブリは、また、拡声器ドライブユニット１０の代わりに、標準の５０ｍｍシールドハロゲン電球を受けるのにも適していることが分かるであろう。このようにして、電球および拡声器ドライブユニットは、設けられた装着アセンブリの間で或いは上述したような方法で自由に交換することができる。既存の照明装置は、また、拡声器の架台に交換することができ、逆にすることもできる。もちろん、いずれの場合にも、電球または拡声器ドライブユニットは、それぞれ適当な１２ボルト電源または拡声器ドライブユニット用の音響信号源に接続されることが必要である。
【００３１】
架台は天井に限定されない。平面的な支持部材は、例えば壁である任意の適当な支持部材とすることができる。
【００３２】
図面の図５および図６に示された変形されたアセンブリは、まず第１に、半円形ワッシャ１８が第２の封止ガスケット１６と共に省略されている点で図１〜図４に示されたものと異なっている。拡声器ドライブユニット１０は、ドライブユニットフレーム５０の前側リング５２に付着した接着剤により装着リング１２中に保持される。第２に、拡声器ドライブユニット１０の前面は、装着部材１２の円形開口２０を閉じている穿孔グリル部材６０によって覆われている。このグリル部材６０は、正反対に向かい合ったタブ６４にある隆起部６２を装着部材１２にあるスロット６６に受け入れられることにより保持されている。接着剤およびグリルにより拡声器ドライブユニットを保持するという特徴は、半円形ワッシャ１８が有りでまたは無しで、互いに別個に設けることができる。接着剤無しにグリルが設けられる場合、それは、半円形ワッシャが無い場合に保持手段を構成するであろう。
【００３３】
この変形アセンブリは、上述したように、既存の照明装置か或いはそうでないものを改装するために、変形されていないアセンブリと全く同様に使用される。
【図面の簡単な説明】
【００３４】
【図１】本発明による拡声器アセンブリの分解斜視図である。
【図２】図１の拡声器アセンブリの前側斜視図である。
【図３】拡声器アセンブリの後側斜視図である。
【図４】拡声器アセンブリの垂直断面図である。
【図５】変形アセンブリの分解斜視図である。
【図６】図５のアセンブリの前側斜視図である。
【図１】
2005012816.tif 000003
【図２】
2005012816.tif 000004
【図３】
2005012816.tif 000005
【図４】
2005012816.tif 000006
【図５】
2005012816.tif 000007
【図６】
2005012816.tif 000008
【外国語明細書】
2005012816.tif 000009
2005012816.tif 000010
2005012816.tif 000011
2005012816.tif 000012
2005012816.tif 000013
2005012816.tif 000014
2005012816.tif 000015
2005012816.tif 000016
2005012816.tif 000017
2005012816.tif 000018
2005012816.tif 000019
2005012816.tif 000020
2005012816.tif 000021
2005012816.tif 000022